(57)【要約】      （修正有）【課題】ＳＣＣＡのシグナリング需要を高効率の様式で満たし、後方互換性を保ちながら大きな柔軟性および拡張性を提供し、付随する付加的な実施費用を最小にすることができる。【解決手段】無線チャネルによって接続された複数の局およびアクセスポイントを含むネットワークのチャネルにおいてデータをシグナリングする。局は最初に順次調整されたチャネルアクセス方法を用いてチャネルへのアクセスをアクセスポイントに要求する。局は、アクセスポイントから受信したシーケンスインデックス値に対応する時刻に、非競合期間中にチャネルにアクセスする許可を受信した後、資源要求メッセージをアクセスポイントへ送信して帯域幅割り当てを取得する。局は、この応答として帯域幅割り当てを受信した後、その帯域幅割り当てに従って非競合期間中にデータを送信することができる。【選択図】図１
2006054884.tif 000002
【特許請求の範囲】
【請求項１】
局により、アクセスポイントの順次調整されたチャネルアクセス方法を用いてチャネルへのアクセスを要求すること、
前記局において、前記局により前記アクセスポイントから受信したシーケンスインデックス値に対応する時刻に、非競合期間中に前記チャネルにアクセスする許可を受信すること、
前記局により、資源要求メッセージを前記アクセスポイントへ送信することによって、該アクセスポイントから帯域幅割り当てを取得すること、
前記アクセスポイントから、前記帯域幅割り当てを含む資源割り当てメッセージを受信すること、および
前記帯域幅割り当てに従って前記非競合期間中にデータを送信すること
を含む、無線チャネルによって接続された複数の局およびアクセスポイントを含むネットワークのチャネルにおけるシグナリング方法。
【請求項２】
資源再交渉メッセージを前記アクセスポイントへ送信することによって、前記帯域幅割り当てを変更すること、
前記アクセスポイントから、変更された帯域幅割り当てを含む新たな資源割り当てメッセージを受信すること、および
前記変更された帯域幅割り当てに従って前記非競合期間中にデータを送信すること
をさらに含む請求項１に記載の方法。
【請求項３】
前記再交渉メッセージのフォーマットは前記資源要求メッセージと同一である請求項２に記載の方法。
【請求項４】
前記再交渉メッセージは前記非競合期間中に送信される請求項２に記載の方法。
【請求項５】
前記再交渉メッセージは競合期間中に送信される請求項２に記載の方法。
【請求項６】
資源放棄メッセージを前記アクセスポイントへ送信することによって、前記帯域幅割り当てを終了すること
をさらに含む請求項１に記載の方法。
【請求項７】
前記資源放棄メッセージは非競合期間中に送信される請求項６に記載の方法。
【請求項８】
前記資源放棄メッセージは競合期間中に送信される請求項６に記載の方法。
【請求項９】
前記資源要求メッセージは、データを単一のトラフィックストリームとして送信するためのものである請求項１に記載の方法。
【請求項１０】
前記資源要求メッセージは、データを複数のトラフィックストリームとして送信するためのものである請求項１に記載の方法。
【請求項１１】
前記資源割り当てメッセージは、前記局が前記非競合期間中に送信を行うことのできる時間の長さを示す送信継続期間を含む請求項１に記載の方法。
【請求項１２】
前記帯域幅割り当ては、単一のトラフィックストリームのデータに対してなされる請求項１に記載の方法。
【請求項１３】
前記帯域幅割り当ては、複数のトラフィックストリームのデータに対してなされる請求項１に記載の方法。
【請求項１４】
前記資源要求メッセージ中のトラフィック仕様は、前記データの最小データレート、平均データレート、およびピークデータレートを含む請求項１に記載の方法。
【請求項１５】
前記資源要求メッセージ中のトラフィック仕様は、前記データを送信する方向を含む請求項１に記載の方法。
【請求項１６】
前記資源割り当てメッセージ中の前記帯域幅割り当てはシーケンスインデックス値を含む請求項１に記載の方法。
【請求項１７】
前記資源放棄は、単一のデータストリームとして送信されるデータに対してなされる請求項６に記載の方法。
【請求項１８】
前記資源放棄は、複数のトラフィックストリームとして送信されるデータに対してなされる請求項７に記載の方法。
【発明の詳細な説明】
【技術分野】
【０００１】
本発明は、包括的には無線ネットワークに関し、特に、無線ローカルエリアネットワークにおけるアクセス制御およびシグナリングに関する。
【背景技術】
【０００２】
ＩＥＥＥ８０２．１１標準規格による無線ローカルエリアネットワーク（ＷＬＡＮ）では、セルのアクセスポイント（ＡＰ）が、そのセルに関連したすべての局のパケット伝送を調整する。単一の無線チャネル、すなわち周波数帯域が、すべてのデータ信号および制御信号について、局からＡＰへの上りリンクおよびＡＰから局への下りリンクの双方によって共有される。どの２つの局も互いの通信レンジ内にいることは必要とされないのに、あらゆる局がＡＰと通信することができる。
【０００３】
無線チャネルの伝送レートは、感知された信号対雑音比（ＳＮＲ）に応じて変化する可能性がある。例えば、ＩＥＥＥ８０２．１１ｂ標準規格の物理レイヤは、１Ｍｂｐｓ、２Ｍｂｐｓ、５．５Ｍｂｐｓ、および１１Ｍｂｐｓの４つのレートをサポートする。
【０００４】
ＩＥＥＥ８０２．１１ｅ  ＨＣＣＡ
所与のサービス品質（ＱｏＳ）をサポートするために、ＩＥＥＥ８０２．１１ｅ標準規格は、高度分散チャネルアクセス（ＥＤＣＡ（enhanced distributed channel access））およびハイブリッド調整チャネルアクセス（ＨＣＣＡ（hybrid coordinated channel access））の２つの動作モードを定義する。ＥＤＣＡモードは、キャリア検知多重アクセス／衝突回避（ＣＳＭＡ／ＣＡ）に基づいている。ＣＳＭＡ／ＣＡは、最大４つのアクセスカテゴリー（ＡＣ）について、優先順位付けされたチャネルアクセスを提供する。各ＡＣは、ＡＣ間で異なるサービスを実現するために、バックオフ値等のチャネル競合用の１組のＱｏＳパラメータに関連付けられる。
【０００５】
ＨＣＣＡモードは、非競合期間（ＣＦＰ（contention-free period））中は、ＡＰに配置されたハイブリッドコーディネータ（ＨＣ）が非競合アクセスのために局をポーリングすることを可能にし、競合期間（ＣＰ（contention period））中は、いつでも送信機会（ＴＸＯＰ（transmission opportunity））を割り当てる。送信機会中に、局は１パケットを送信することができる。ＨＣＣＡによって、データストリームごとのＱｏＳのパラメータ化が可能になる。ＨＣは、ＣＦＰおよびＣＰの双方で送信機会（ＴＸＯＰ）を割り当てる。各ＴＸＯＰは、特定の局の送信の開始時刻および継続時間を指定する。集中化されたスケジューリングがＴＸＯＰの割り当てに使用される場合、各データストリームのトラフィックプロファイル要件およびＱｏＳ要件を考慮することができる。
【０００６】
上りリンクの送信を調整するために、ＨＣは、ＣＦ−Ｐｏｌｌメッセージを各局へ送信する。この送信は、データ到着レートやデータサイズ等の現在のトラフィック情報を収集するために行われる。標準規格は、ＱｏＳ規約による予め定義されたサービス区間の間、各局をポーリングするために簡単なラウンドロビンスケジューリングアルゴリズムを指定する。
【０００７】
動的なＴＤＭＡをベースとした方式
動的時分割多重接続（ＴＤＭＡ）は、ＱｏＳのパラメータ化のための代替的な技法を提供する。チャネル全体がタイムスロットに分割され、複数のタイムスロットがスーパーフレームを形成する。タイムスロットの割り当てはＡＰによって実行される。ＡＰは、各データストリームのＱｏＳ要件を考慮する。スロットが割り当てられた後、すべての送信が、予め定義された時刻に開始し、タイムスロットの粒度で予め定義された最大継続時間の間続く。したがって、シグナリング手順および資源の割り当ては単純にチャネルアクセスプロトコルに基づく。
【０００８】
また、スロット割り当ては、アプリケーションの短期間のレート変動を吸収するために定期的に調整される。ＡＰは、例えば、即時（immediate）肯定応答（ＡＣＫ）、遅延（delayed）ＡＣＫ、反復等のいくつかのＡＣＫポリシーを使用して、各パケットの受信に肯定応答することができる。これらのＡＣＫポリシーは、例えば、ユニキャスト送信、マルチキャスト送信、およびブロードキャスト送信といった多様なアプリケーションおよびトラフィックタイプに対応する。さらに、通常はデータスロットよりもはるかに小さいアクセススロットがジョイニング局（joining station）により使用されて、アソシエーション（association）、認証、資源予約等のＡＰ要求が送信される。これらのアクセススロットは、通常、ＣＳＭＡ／ＣＡまたはスロット付きアロハを介して取り合いが行われる。
【０００９】
ＨｉｐｅｒＬＡＮ／２（Ｈ／２）標準規格およびＩＥＥＥ８０２．１５．３標準規格におけるＭＡＣ設計は、この動的ＴＤＭＡをベースとした方式を採用して、競合する局間でのＱｏＳ指向のチャネルアクセスを調整する。
【００１０】
ポーリングをベースとした方法および動的ＴＤＭＡをベースとした方法は、共に、無線ＬＡＮでＱｏＳを提供することに関して欠点を有する。ポーリングをベースとしたチャネルアクセス方法は、比較的柔軟な方法でＱｏＳを有するアプリケーションを許可する。その方法は、可変パケットサイズをハンドリングすることができ、短期間のレート変動を吸収することができる。しかしながら、この柔軟性は、高いシグナリングオーバーヘッドの代償を払って達成される。ポーリングプロシージャは、あらゆる上りリンクのデータパケットがＨＣとのポーリングメッセージ交換を伴うので、無視できないチャネルの非効率性を招く。さらに、ポーリングメッセージは、さまざまな局の異なる伝送レートに対応するために、例えば、８０２．１１ｂ標準規格によると１Ｍｂｐｓといった基本レートで送信される。これは、さらに、スループットを悪化させる。
【００１１】
動的ＴＤＭＡをベースとしたチャネルアクセス方法は、固定ビットレート（ＣＢＲ（constant-bit-rate））のマルチメディアアプリケーションのＱｏＳサポートを効率的に提供することができるが、可変ビットレート（ＶＢＲ（variable-bit-rate））のアプリケーションのＱｏＳサポートを効率的に提供することはできない。通常、テレビ会議等のＶＢＲアプリケーションは、可変パケットサイズまたは時間的に変化する送信元レートを有する。さらに、ＴＤＭＡをベースとした方法は、「ミニスロット」レベルの厳密できめの細かい時間同期を必要とする。
【００１２】
別のチャネルアクセス方法は、Lo等の「An Efficient Multipolling Mechanism for IEEE 802.11 Wireless LANs」, IEEE Transactions on Computers, Vol. 52, No. 6, June 2003の「中央調整および分散アクセス（central coordination and distributed access）」を使用する。しかしながら、その方法はいくつかの限界を有する。第１に、その方法は、現在のＩＥＥＥ８０２．１１標準規格によって指定されたマルチレート物理レイヤ機能（multi-rate physical-layer capability）に対応するメカニズムを有しない。したがって、潜在的なスループット利得は大幅に損なわれる。第２に、その方法は、各データストリームに対してそのＱｏＳ規約に従った長期間の帯域幅を保証すると同時に短期間のトラフィック変動を吸収するメカニズムを有しない。第３に、その方法は、データストリームのＱｏＳ仕様に違反する攻撃的または不正なデータストリームを検出してペナルティを科すポリシングメカニズムを何ら有しない。
【００１３】
上記のチャネルアクセス方法に伴う問題を克服するために、Yuan他により２００４年７月９日付で出願された米国特許出願第１０／８８８，３９８号「Sequential Coordinated Channel Access in Wireless Networks」は、順次調整されたチャネルアクセス（ＳＣＣＡ（sequential coordinated channel access））方法を提供する。ＳＣＣＡ方法では、各局が、ＡＰから予約された送信スロットを取得する。最適なシステム性能を達成するために、さまざまなスケジューリングアルゴリズムを適用することができる。
【００１４】
ＳＣＣＡ方法は、効率の高い調整されたチャネルアクセスを提供する。しかしながら、その方法は、ＳＣＣＡを活用することができる高性能のシグナリング方法の詳細を確かに提供する。
【発明の開示】
【発明が解決しようとする課題】
【００１５】
従来技術のランダムアクセス方法では、チャネルアクセスを事前に予約する必要がないため、資源の予約および割り当ては重要ではない。送信を行う必要のある各局は、チャネルを分散方法で取り合う。ＩＥＥＥ８０２．１１ｅ標準規格は、ＨＣＣＡ動作を容易にするために、ＡＤＤＴＳ要求、ＡＤＤＴＳ応答およびＤＥＬＴＳといったメッセージを定義している。しかしながら、その中で規定されている手順および対応するフレームフォーマットは、ＳＣＣＡ方式の特殊な性質のためにＳＣＣＡには適用することができない。さらに、ＨＣＣＡモード用のシグナリングは効率的でなく、ＩＥＥＥ８０２．１１ｎ標準規格に従って設計された高スループットのネットワークには望ましくないとみなされる。
【００１６】
したがって、ＳＣＣＡのシグナリング需要を高効率の様式で満たし、後方互換性を保ちながら大きな柔軟性および拡張性を提供し、付随する付加的な実施費用を最小にすることができる新規のシグナリング方法を提供する必要がある。
【課題を解決するための手段】
【００１７】
本発明は、順次調整されたチャネルアクセス（ＳＣＣＡ）と呼ばれるバックオフをベースとした非競合チャネルアクセス方法のためのシグナリング方法を提供する。本方法は、最少組のシグナリングメッセージを用いて、非競合期間中にデータストリームの送信をサポートする。さらに、本シグナリング方法は、同一局が複数のストリームを送信することを可能にする。本シグナリング方法は、従来技術の技法よりも強力かつ効率的であり、単純さおよび予め定義された標準規格との後方互換性を保ちながら拡張性および柔軟性を提供する。
【００１８】
具体的には、方法は、無線チャネルによって接続された複数の局およびアクセスポイントを含むネットワークのチャネルにおいてデータをシグナリングする。局は最初に、順次調整されたチャネルアクセス方法を用いてチャネルへのアクセスをアクセスポイントに要求する。
【００１９】
局は、アクセスポイントから受信したシーケンスインデックス値に対応する時刻に、非競合期間中にチャネルにアクセスする許可を受信した後、資源要求メッセージをアクセスポイントへ送信して帯域幅割り当てを取得する。
【００２０】
局は、この応答として帯域幅割り当てを受信した後、その帯域幅割り当てに従って非競合期間中にデータを送信することができる。
【発明の効果】
【００２１】
本発明は、ＳＣＣＡ方法のためのシグナリング方法を提供する。本方法は、３つのシグナリングメッセージを用いて、資源予約、資源割り当て、資源再交渉および資源放棄をハンドリングする。このシグナリングは効率的であり、単純さおよび後方互換性を保ちながら拡張性および柔軟性を提供する。
【発明を実施するための最良の形態】
【００２２】
本発明は、Yuan他により２００４年７月９日付で出願された米国特許出願第１０／８８８，３９８号「Sequential Coordinated Channel Access in Wireless Networks」（全体が参照により本明細書中に援用される）に記載されるようなＳＣＣＡを用いる無線ネットワークのためのシグナリング方法を提供する。
【００２３】
ＳＣＣＡ方法のためのシグナリング方法は、以下の手順、すなわち、資源予約、資源割り当て、資源再交渉、および資源放棄を含む。
【００２４】
［シグナリング方法］
図１に示すように、資源管理方法１００は、資源予約および割り当て期間１５１およびデータ送信期間１５２を有する局（ＳＴＡ）１１０を含む。アクセスポイント（ＡＰ）１２０が、適応的分散チャネルアクセス（ＡＤＣＡ（adaptive distributed channel access））期間１５３および順次調整されたチャネルアクセス（ＳＣＣＡ）期間１５４を有する。図１において、時間は上から下へ増える。
【００２５】
資源予約
帯域幅を要求するために、局１１０は、競合期間（ＣＰ）中に資源要求（ＲＲＱ）メッセージ１０１をＡＰ１２０へ送信する。局はＲＲＱメッセージを最高の優先順位で扱う。したがって、ＲＲＱメッセージの送信と必要であればそれに続くあらゆる再送信は、チャネルアクセスを管理フレームとして、あるいは最高の優先順位に関連するパラメータセット、例えばＩＥＥＥ８０２．１１ｅ  ＥＤＣＡ標準規格によるＡＣ３パラメータセットを用いて取り合う。
【００２６】
これに応答して、ＡＰ１２０は、ショートフレーム間隔（ＳＩＦＳ（short inter-frame space））１２１後に肯定応答（ＡＣＫ）メッセージ１０２で応答する。所定時間内にＡＣＫが受信されない場合、要求局は、ＩＥＥＥ８０２．１１ｅ標準規格によるＲＲＱフレームの再送信ポリシーに従う。ただし要求局は、ＲＲＱメッセージの再送回数を越えていなくても、次の非競合期間にトラフィックをスケジューリングするには遅すぎるとみなせばいつでも再送信試行を終了することができる。
【００２７】
ＡＰは、ＩＥＥＥ８０２．１１標準規格に従ってビーコン１０３を送信する。ＡＰは、ビーコンを一定間隔で周期的に送信することに留意すべきである。ＡＰは、ビーコン１０３を送信して再びＳＩＦＳ１２２の間待機した後、資源割り当て（ＲＡＬ）メッセージ１０４を送信する。局は、ＳＣＣＡ期間の開始時にＲＡＬを受信した場合、進行中のあらゆる再送信試行を終了する。本明細書では、このタイプの再送信メカニズムをスケジュール駆動型（schedule-driven）の再送信と呼ぶ。
【００２８】
資源割り当て
ＲＡＬメッセージ１０４は割り当てられた帯域幅情報を含む。ＲＡＬメッセージは、Yuan他によって記載されているシーケンスインデックス値（ＳＩＶ（sequence index value））および動的送信継続期間（ＴＸＤＴ（dynamic transmission duration period））も含む。非競合期間（ＣＦＰ）中は、これらの２つの値は、局がＡＰにデータを送信できる時刻、および送信を続けることができる時間を示す。
【００２９】
局は、ＡＰ１２０からＲＡＬメッセージ１０４を受信した後、初期バックオフカウンタ値をＲＡＬメッセージのＳＩＶ値に設定してバックオフを開始する。非競合バースト（ＣＦＢ（contention free burst））モードがサポートされる場合、局は、ＡＣＫポリシーが遵守されており、かつＴＸＤＴ値を超えない限り、２つの連続するフレーム間にＳＩＦＳ間隔を挟んでデータ１０５を連続的に送信する。
【００３０】
資源再交渉
局が、割り当てられた資源を変更する必要がある場合、別のＲＲＱメッセージをＡＰへ送信することによってサービス合意（service agreement）を再交渉することができる。このプロセスは資源再交渉と呼ばれる。要求局は、競合期間または非競合期間中にいつでも再交渉要求を出すことができる。
【００３１】
資源放棄
局は、競合期間中または非競合期間中に資源放棄（ＲＲＬ（resource relinquishment））メッセージ１０６を用いて割り当てられた帯域幅を解放する。ＡＰは、ＲＲＬを受信すると、その局をＡＰの資源割り当てテーブルから削除する。
【００３２】
［シグナリングメッセージ］
図２は、ＲＲＱ１０１、ＲＡＬ１０４、およびＲＲＬ１０６の３つのメッセージの一般的なフォーマット２００を示す。一般的に、メッセージは、ＭＡＣヘッダ２１０のフィールド２０１〜２０６を含む。各フィールドの簡単な説明を以下で行う。
【００３３】
フレーム制御フィールド２０１は、フレームに関する関連制御情報を含む。継続時間フィールド２０２は、現在のメッセージ交換トランザクションの長さを指定し、ネットワーク割り当てベクトル（ＮＡＶ（network allocation vector））を更新するために用いられる。ＤＡ２０３およびＳＡ２０４はそれぞれ、フレームの宛先ＭＡＣアドレスおよび送信元ＭＡＣアドレスである。ＢＳＳＩＤ２０５は、各基本サービスセット（ＢＳＳ（basic service set））を一意に識別する。シーケンス制御フィールド２０６は、送信されているフレームのシーケンス番号を含む。上位レイヤから受信されるデータペイロードは、フレーム本体フィールド２０７にカプセル化される。最後に、フレームチェックシーケンス（ＦＣＳ（frame check sequence））２０８を用いて、受信したデータペイロードが送信されているものと同じであるか否かを検証する。
【００３４】
フレーム本体２０７のみが３つのメッセージで異なる。後方互換性および実行時の低複雑度を保証するために、ＲＲＱメッセージ、ＲＡＬメッセージおよびＲＲＬメッセージは、ＡＤＤＴＳ要求と同様に設計される。ＡＤＤＴＳフレームおよびＤＥＬＴＳフレームは、ＩＥＥＥ８０２．１１ｅ標準規格「Wireless LAN Medium Access Control (MAC) and Physical Layer (PHY) Specifications: Medium Access Control (MAC) Enhancements for Quality of Service (QoS)」, Draft version 6, IEEE, November 2003において定義されている。
【００３５】
資源要求（ＲＲＱ）
表１は、ＲＲＱメッセージ１０１のフレーム本体２０７のフォーマットを示す。オーダは、フィールドおよびサブフィールドのシーケンスを示す。ＲＲＱメッセージ１０１を表すために、カテゴリフィールドは１に設定され、アクションフィールドは３に設定される。ここに含まれるダイアログトークン（dialog token）は、このフレームの送信を実際に行わせる受信した上位レイヤプリミティブからコピーされる。可能なアクションフィールドの値のリストを表２に示す。
【００３６】
【表１】
2006054884.tif 000003
【００３７】
【表２】
2006054884.tif 000004
【００３８】
マルチＴＳＰＥＣフィールド３００のフォーマットを図３に示す。マルチＴＳＰＥＣフィールドは可変長を有することができ、複数のトラフィックストリーム（ＴＳ（traffic stream））のＱｏＳパラメータを含む。要素ＩＤ３０１は０ｘ２６に設定され、長さフィールド３０２は、このマルチＴＳＰＥＣが含む個々のＴＳＰＥＣフィールドの総数を示す。ＴＳＰＥＣビットマップｋ３０３または３０５は、対応するｋ番目のＴＳＰＥＣ３０４または３０６の内部構造を示し、ここでｋ＝１，２，．．．，ｎである。
【００３９】
図４は、サブフィールド４０１〜４１６を有する完全なＴＳＰＥＣフィールド４００を示す。毎回すべてのサブフィールドが使用されるわけではないため、使用されているフィールドを示すためにＴＳＰＥＣビットマップ３０３を用いる。ビットマップ中の１のビットは、そのサブフィールドが使用されていることを示す。使用されていない場合、ビットは０となる。各サブフィールドの意味はＩＥＥＥ８０２．１１ｅ標準規格に定義されている。各フィールド４０１〜４１６の簡単な説明を以下で行う。
【００４０】
ＴＳ情報フィールド４０１は、資源を要求している特定のトラフィックストリームに関する関連ＱｏＳ情報を含む。ＴＳは、ＴＳ情報フィールドに含まれるＴＳＩＤサブフィールドおよび方向サブフィールドによって識別される。公称ＭＳＤＵサイズフィールド４０２および最大ＭＳＤＵサイズフィールド４０３はそれぞれ、このトラフィック仕様の下でトラフィックストリーム（ＴＳ）に属するＭＳＤＵの公称サイズおよび最大サイズを指定する。最小サービス区間フィールド４０４および最大サービス区間フィールド４０５は、２つの連続するＳＣＣＡサービス区間の開始の間の最小区間および最大区間を定義する。非活動区間フィールド４０６は、トラフィックストリーム（ＴＳ）がＡＰのＭＡＣエンティティによって削除されるまでの、このＴＳに属するＭＳＤＵが到着するかまたは転送されずに経過し得る最大時間を指定する。保留区間フィールド４０７は、後方互換性のために確保され、ＳＣＣＡシグナリングのための将来の拡張に予約される。サービス開始時刻４０８は、要求局が送信を開始したい時刻をＡＰに伝える。最小データレート４０９、平均データレート４１０およびピークデータレート４１１はそれぞれ、ＭＡＣ  ＳＡＰにおいて指定される最低データレート、平均データレートおよびピークデータレートを指定する。最大バーストサイズフィールド４１２は、ピークデータレートでＭＡＣ  ＳＡＰに到着するこのＴＳに属するＭＳＤＵの最大バーストサイズを指定する。遅延限界（delay bound）フィールド４１３は、このＴＳＰＥＣのＴＳに属するＭＳＤＵを転送することを許可された最大時間を指定する。最小ＰＨＹレートフィールド４１４は、このＴＳＰＥＣのＴＳに属するＭＳＤＵの転送に必要とされる、このＴＳに用いる所望の最小ＰＨＹレートを指定する。余剰帯域幅許容率フィールド４１５は、このＴＳＰＥＣのＴＳに属するＭＳＤＵを転送するために必要な定められた適用レートを越える時間および帯域幅の過剰割り当てを指定する。媒体時間フィールド４１６は、媒体にアクセスすることを許可された時間を含む。
【００４１】
資源要求プロセスおよび資源再交渉プロセスの双方に同一のＲＲＱメッセージが用いられることに留意されたい。ＡＰは、受信したＲＲＱメッセージを資源要求または資源再交渉のいずれかとして解釈する。
【００４２】
資源割り当て（ＲＡＬ）
ＲＡＬメッセージ１０４のフレーム本体５００のフォーマットを表３に示す。ＲＡＬメッセージを表すために、カテゴリフィールドは１に設定され、アクションフィールドは４に設定される。ダイアログトークンは、フレームの送信を行わせる受信した上位レイヤプリミティブに含まれるダイアログトークンフィールドからコピーされる。すべての使用されるアクションフィールドの値のリストを表２に示す。
【００４３】
【表３】
2006054884.tif 000005
【００４４】
マルチスケジュールフィールドのフォーマット５００が図５に示され、要素ＩＤフィールド５０１および長さフィールド５０２は１つまたは複数の後続のマルチスケジュール要素５０３〜５０４を表す。
【００４５】
マルチスケジュール要素の構造６００を図６に示す。シーケンスインデックス値（ＳＩＶ）６０３コンポーネントは、局に割り当てられる初期バックオフカウンタ値である。この値は本質的に、各局がチャネルにアクセスするシーケンスを決める。関連ＩＤ（ＡＩＤ（association ID））フィールド６０１は、この予約割り当てが属する局のＡＩＤを含む。サービス区間フィールド６０４は、２つの連続するサービス区間の間の時間を示す。ＴＸＤＴフィールド６０５は、チャネルが要求トラフィックストリームに割り当てられる時間を指定する。規定区間（specification interval）６０６は、スケジュールの一致を検証するための時間間隔をＴＵ（１０２４μｓ）単位で指定する。
【００４６】
スケジュール情報サブフィールド６０２の構造７００を図７に示す。これは、ＩＥＥＥ８０２．１１ｅによって定義されているものと同じである。第１ビットＢ０  ７０１およびビットＢ７〜Ｂ１５  ７０４は将来の拡張のために予約される。方向フィールド７０３は、トラフィックストリームがアクセスポイント（ＡＰ）から局へのものであるか、あるいは局からＡＰへのものであるかを示す。２番目のフィールドであるＴＳＩＤ７０２は、ＡＩＤ６０１、およびスケジュール情報サブフィールド６０２の方向フィールド７０３とともに、フローを一意に識別することができる。他のフィールドおよびサブフィールドはすべて、ＩＥＥＥ８０２．１１ｅ標準規格に従って定義される。
【００４７】
資源放棄（ＲＲＬ）
ＲＲＬメッセージ１０６のフレーム本体のフォーマットを表４に示す。
【００４８】
【表４】
2006054884.tif 000006
【００４９】
ＲＲＬメッセージのカテゴリ値は１であり、アクション値は５である。ＲＲＬメッセージのフレーム本体８００は、フィールド８０１および８０２を有する図８に示すように複数のＲＲＬ要素サブフィールドを有する。ＡＩＤ８０１およびＴＳ情報８０２の各タプレは、ＡＰによって割り当て解除または解放されるトラフィックストリームに対応する。ＡＩＤ８０１は、ＴＳ情報フィールド８０２のＴＳＩＤ９０２および方向９０３とともに、終了するストリームを一意に識別することができる。
【００５０】
ＴＳ情報サブフィールド８０１のフォーマット９００を図９に示す。サブフィールド９０１〜９１０の詳細な意味はＩＥＥＥ８０２．１１ｅ標準規格に定義されている。トラフィックタイプサブフィールド９０１は、ストリームが周期的なトラフィックパターンを有する場合（例えば、固定レートで発信されるサイズが一定または可変のＭＳＤＵの等時性トラフィックストリーム）に１に設定される。このフィールドは、非周期的な、あるいは不特定のトラフィックパターンの場合（例えば、低デューティサイクルの非同期トラフィックストリーム）に０に設定される。アクセスポリシーサブフィールド９０４は、トラフィックストリームに使用されるアクセスを指定する。集合サブフィールド９０５は、後方互換性のために確保され、将来の拡張に使用することができる。ＡＰＳＤサブフィールド９０６は、ＴＳＰＥＣに関連するトラフィックに自動パワーセーブ送達が用いられることを示すために１に設定される。ユーザ優先度サブフィールド９０７は、相対的な優先順位付けが必要とされる場合に、このトラフィックストリームに属するＭＳＤＵの転送に使用されるＵＰの実際の値を示す。ＴＳ情報ＡＣＫポリシーサブフィールド９０８は、このＴＩＤに属するＭＳＤＵにＭＡＣ肯定応答が必要であるかどうか、およびそれらの肯定応答の所望の形式を示す。スケジュールサブフィールド９０９は、要求されるスケジュールのタイプを指定する。サブフィールド９１０は将来の拡張に予約される。
【００５１】
［後方互換性］
本明細書中に記載されるようなシグナリングを使用しない局は、ＡＰがすべての局に対してＮＡＶを設定する限り、資源割り当て（ＲＡＬ）メッセージを無視して、ＳＣＣＡ期間１５４の間停止したままでいることができる。ＲＲＱメッセージおよびＲＲＬメッセージは他の局を妨害しない。したがって、本発明によるシグナリングは、ＩＥＥＥ８０２．１１標準規格に従って設計されたネットワークとの後方互換性がある。
【００５２】
［実施上の問題］
ＲＲＱ、ＲＲＬおよびＲＡＬの３つのメッセージは、その意図する機能に関して相互に排他的であり、全体で、Yuan他によって記載されるようなＳＣＣＡ方法のすべてのシグナリング需要を提供する。本発明によるシグナリングは最少組のメッセージを用いてＳＣＣＡ動作をサポートするため、実施の複雑度が最小化される。
【００５３】
さらに、３つのシグナリングメッセージはすべて、ＩＥＥＥ８０２．１１ｅ標準規格によるＡＤＤＴＳ要求メッセージ、ＡＤＤＴＳ応答メッセージ、およびＤＥＬＴＳメッセージのフォーマットと同様のフォーマットを有する。
【００５４】
本発明を好ましい実施の形態の例として説明してきたが、本発明の精神および範囲内において、他のさまざまな適応および変更を行えることが理解されよう。したがって、添付の特許請求の範囲の目的は、本発明の真の精神および範囲に入るこのようなすべての変形および変更を網羅することである。
【図面の簡単な説明】
【００５５】
【図１】本発明による資源管理方法のタイミング図である。
【図２】本発明によるメッセージのブロック図である。
【図３】マルチＴＳＰＥＣフィールドのブロック図である。
【図４】完全なＴＳＰＥＣフィールドのブロック図である。
【図５】マルチスケジュールフィールドのブロック図である。
【図６】マルチスケジュール要素サブフィールドのブロック図である。
【図７】スケジュール情報サブフィールドのブロック図である。
【図８】資源放棄メッセージのブロック図である。
【図９】トラフィックストリーム情報サブフィールドのブロック図である。
【図１】
2006054884.tif 000007
【図２】
2006054884.tif 000008
【図３】
2006054884.tif 000009
【図４】
2006054884.tif 000010
【図５】
2006054884.tif 000011
【図６】
2006054884.tif 000012
【図７】
2006054884.tif 000013
【図８】
2006054884.tif 000014
【図９】
2006054884.tif 000015
【外国語明細書】
2006054884.tif 000016
2006054884.tif 000017
2006054884.tif 000018
2006054884.tif 000019
2006054884.tif 000020
2006054884.tif 000021
2006054884.tif 000022
2006054884.tif 000023
2006054884.tif 000024
2006054884.tif 000025
2006054884.tif 000026
2006054884.tif 000027
2006054884.tif 000028
2006054884.tif 000029
2006054884.tif 000030
2006054884.tif 000031
2006054884.tif 000032
2006054884.tif 000033
2006054884.tif 000034
2006054884.tif 000035
2006054884.tif 000036
2006054884.tif 000037
2006054884.tif 000038
2006054884.tif 000039
2006054884.tif 000040
2006054884.tif 000041